(57)【要約】【課題】  荷台の着脱作業が容易であって、安全性の高い取り付けができ、且つ、車体から取り外された荷台を保管庫としても利用することのできるトラック車両を提供する。【解決手段】  車体１に対し荷台２が着脱可能になされたトラック車両１００であって、前記車体１の前後方向に沿って延設され、前記車体１の骨格を形成するシャシーフレーム３と、前記シャシーフレーム３と略同じ全幅且つ長さに形成されると共に、前記荷台２の裏面に設けられ、前記シャシーフレーム３の上面部に着脱可能に固定される荷台フレーム４とを備え、前記シャシーフレーム３と前記荷台フレーム４には、相互にボルト締結されるためのブラケット１０〜１３が夫々形成される。【選択図】  図１
0003114945.tif 000002
【実用新案登録請求の範囲】
【請求項１】
車体に対し荷台が着脱可能になされたトラック車両であって、
前記車体の前後方向に沿って延設され、前記車体の骨格を形成するシャシーフレームと、前記シャシーフレームと略同じ全幅且つ長さに形成されると共に、前記荷台の裏面に設けられ、前記シャシーフレームの上面部に着脱可能に固定される荷台フレームとを備え、
前記シャシーフレームと前記荷台フレームには、相互にボルト締結されるためのボルト穴を有するブラケットが夫々形成され、
前記ボルト締結されるブラケットの組は、前記ボルト穴に挿入されるボルトの軸方向が垂線に対して傾斜して取り付けられるように、設けられることを特徴とするトラック車両。
【請求項２】
前記シャシーフレームの前端部と後端部には夫々、該シャシーフレームの長手方向に直交し、該シャシーフレームの左右に延設された第一のクロスバーが設けられ、
前記荷台フレームの前端部と後端部には夫々、該荷台フレームの長手方向に直交し、該荷台フレームの左右に延設された第二のクロスバーが設けられ、
前記第一のクロスバーと前記第二のクロスバーは、相互に係合するための係合手段を有し、
前記車体に対し前記荷台を装着する場合に、前記第一のクロスバーと前記第二のクロスバーとが前記係合手段によって係合するように、前記シャシーフレームの上面部に前記荷台フレームが載置されて位置決めがなされることを特徴とする請求項１に記載されたトラック車両。
【請求項３】
前記荷台フレームの前端部と後端部に設けられた前記第二のクロスバーは、該二つの第二のクロスバーの下面が、同一面上であって、且つ、前記荷台の最下端面となるように設けられることを特徴とする請求項２に記載されたトラック車両。
【請求項４】
前記荷台フレームの中央部には、該荷台フレームの長手方向に直交する二本の角パイプ鋼材が設けられ、
前記二本の角パイプ鋼材に対し、フォークリフトの二本のフォークが挿入可能となるよう、前記二本の角パイプ鋼材の中心間距離と、角パイプ鋼材の内径横幅の値が設定されていることを特徴とする請求項１乃至請求項３のいずれかに記載されたトラック車両。
【考案の詳細な説明】
【技術分野】
【０００１】
本考案はトラック車両に関し、特に荷台が着脱可能なトラック車両に関する。
【背景技術】
【０００２】
荷物を運搬するためのトラック車両（以下、トラックと称呼する）は、その荷台の形状から、荷台の縁を一定の低い高さのパネルで囲んだ平ボディ型と、壁と天井により荷室が密閉される箱型とに大きく区分される。
前記の平ボディ型は、一般に三方のパネルがヒンジにより独立して開く構造（三方開荷台）を有するため、荷物の積み上げ、積み下ろし作業が容易という利点を有している。一方、箱型は、荷物が完全に囲まれるため、平ボディ型よりも保管性に優れるという利点がある。
【０００３】
このような平ボディ型と箱型の荷台を一台の車体に搭載可能にしたトラックについて、特許文献１に記載されている。
特許文献１に開示されたトラックに搭載されるコンテナは、壁を形成する前後左右のパネルと、屋根を形成するパネルとから構成され、平ボディ型のトラックの荷台部に係合して取り付けられるようになされている。
即ち、この構成によれば、平ボディ型のトラックの荷台に対し、前記コンテナの取り付け、取り外しを行うことで、用途に応じて荷台の形態を変えることができる。
【特許文献１】特開２０００−１９８３８１号公報
【考案の開示】
【考案が解決しようとする課題】
【０００４】
ところで、特許文献１に開示された前記トラックにあっては、コンテナを荷台に確実に取り付けるために、支持部材や取り付け部材として複数のフレーム部材が用いられている。
このように支持部材や取り付け部材を介してコンテナを取り付ける構造の場合、走行中にコンテナが外れるおそれがないため安全性が高い。しかしながら、その反面、コンテナの着脱作業においては作業工程が多くなり、必ずしも容易とはいえなかった。
また、前記コンテナは、その下方が開放されているため、トラック車体から取り外されると、下方が開放されて床が無い状態となり、コンテナを保管庫として有効利用できないという課題があった。
【０００５】
本考案は前記したような事情の下になされたものであり、荷台の着脱作業が容易であって、安全性の高い取り付けができ、且つ、車体から取り外された荷台を保管庫としても利用することのできるトラック車両を提供することを目的とする。
【課題を解決するための手段】
【０００６】
前記の目的を達成するために、本考案のトラック車両は、車体に対し荷台が着脱可能になされたトラック車両であって、前記車体の前後方向に沿って延設され、前記車体の骨格を形成するシャシーフレームと、前記シャシーフレームと略同じ全幅且つ長さに形成されると共に、前記荷台の裏面に設けられ、前記シャシーフレームの上面部に着脱可能に固定される荷台フレームとを備え、前記シャシーフレームと前記荷台フレームには、相互にボルト締結されるためのボルト穴を有するブラケットが夫々形成され、前記ボルト締結されるブラケットの組は、前記ボルト穴に挿入されるボルトの軸方向が垂線に対して傾斜して取り付けられるように、設けられることに特徴を有する。
【０００７】
このように構成されたトラック車両によれば、ボルト締結及びその解除作業のみで、容易に荷台の着脱が可能となる。また、荷台の形状として箱型や平ボディ型のものを予め用意しておけば、容易に荷台の形態を変更することができる。
また、ブラケットの組を締結するボルトの軸方向が、垂線に対し傾斜して取り付けられることによって、特に車両の走行開始時（加速時）や走行停止時（減速時）に生じる荷台からの荷重をボルトに対する圧縮力や引張力として作用させることができる。これにより、ボルトは荷台からの荷重に耐えることができ、ボルト切断による荷台の分離事故を防止することができ、安全性の高い取り付けを実現することができる。
さらに、この構成によれば、荷台の荷物を積載した状態で荷台を着脱可能なため、荷台を車体から取り外した際には、その荷台を保管庫として使用することができる。
【０００８】
また、前記シャシーフレームの前端部と後端部には夫々、該シャシーフレームの長手方向に直交し、該シャシーフレームの左右に延設された第一のクロスバーが設けられ、前記荷台フレームの前端部と後端部には夫々、該荷台フレームの長手方向に直交し、該荷台フレームの左右に延設された第二のクロスバーが設けられ、前記第一のクロスバーと前記第二のクロスバーは、相互に係合するための係合手段を有し、前記車体に対し前記荷台を装着する場合に、前記第一のクロスバーと前記第二のクロスバーとが前記係合手段によって係合するように、前記シャシーフレームの上面部に前記荷台フレームが載置されて位置決めがなされることが望ましい。
このように係合手段を設けることによって、車体に対する荷台の位置合わせが容易になり、前記ブラケットの組の締結作業を容易に行うことができる。
【０００９】
また、前記荷台フレームの前端部と後端部に設けられた前記第二のクロスバーは、該二つの第二のクロスバーの下面が、同一面上であって、且つ、前記荷台の最下端面となるように設けられることが好ましい。
このように第二のクロスバーが設けられることによって、荷台を車体から取り外して平面上に載置したときに、安定して載置することができる。
【００１０】
また、前記荷台フレームの中央部には、該荷台フレームの長手方向に直交する二本の角パイプ鋼材が設けられ、前記二本の角パイプ鋼材に対し、フォークリフトの二本のフォークが挿入可能となるよう、前記二本の角パイプ鋼材の中心間距離と、角パイプ鋼材の内径横幅の値が設定されていることが望ましい。
このように構成することにより、フォークリフトによる荷台の持ち上げや載置が可能となり、荷台の着脱作業を容易にすることができる。
【考案の効果】
【００１１】
本考案によれば、荷台の着脱作業が容易であって、安全性の高い取り付けができ、且つ、車体から取り外された荷台を保管庫としても利用することのできるトラック車両を得ることができる。
【考案を実施するための最良の形態】
【００１２】
以下、本考案に係るトラック車両につき、図に示す実施の形態に基づいて説明する。図１は本考案に係るトラック車両の側面図、図２は図１のトラック車両の平面図である。図示されるトラック車両（以下、トラックと称呼する）１００は、車両としての基本構成を有するトラック車体１に対し、荷室２０を有する荷台２が着脱自在に取り付けられて構成される。
【００１３】
尚、図１において、荷室２０は箱型の形状を一例として示しているが、荷室２０の形状は限定されるものではなく、例えば、三方開荷台からなる平ボディ型であってもよい。また、図２において、荷室２０より下方の構成を説明するために、荷室２０は仮想線で示す。
【００１４】
図１に示すように、トラック車体１側には、車両の骨格として梯子状に形成されたシャシーフレーム３が、車両の前後方向に延設されている。
前記したように、トラック車体１は、車両としての基本構成を有している。このため、トラック車体１は、それ単体でも走行可能なようになされている。例えば、シャシーフレーム３には、車両として必要とされるテールランプ９等の電装系部材が取り付けられ、また、図示するように、側部及び後部に巻き込み防止ガード３ａ、３ｂが設けられている。
一方、荷台２においては、シャシーフレーム３と略同じ幅且つ長さの梯子状に形成された荷台フレーム４が荷台裏面（荷室２０の裏面）に設けられ、この荷台フレーム４は、シャシーフレーム３の上面部に固定されている。
【００１５】
また、シャシーフレーム３の前端部と後端部には、図２に示すようにシャシーフレーム３の長手方向に直交し、シャシーフレーム３の左右に延設されたシャシークロスバー（第一のクロスバー）５、６が夫々設けられている。
一方、荷台フレーム４の前端部と後端部には、前記シャシークロスバー５、６の形成位置に対応し、それらと略同形状に形成された荷台側クロスバー７、８（第二のクロスバー）が設けられ、シャシークロスバー５、６の上に載置されている。
【００１６】
ここで図３は、シャシークロスバー５、６と荷台側クロスバー７、８との係合部を示す一部拡大図であり、図３（ａ）はトラック１００の側面側から見た図、図３（ｂ）はトラック１００の正面側から見た図である。
【００１７】
シャシークロスバー５、６と荷台側クロスバー７、８は、図３（ａ）に示すように夫々角パイプ鋼材により形成されている。そして、シャシークロスバー５、６の両端上面には突起５ａ、６ａ（係合手段）が夫々形成され、荷台側クロスバー７、８の両端下面には、前記突起５ａ、６ａに嵌合する貫通孔７ａ、８ａ（係合手段）が形成されている。
したがって、トラック車体１に荷台２が正しく装着された場合には、シャシークロスバー５，６の突起５ａ、６ａが、荷台側クロスバー７，８の貫通孔７ａ、８ａに勘合し、シャシーフレーム３と荷台フレーム４とが係合するようになされている。
【００１８】
尚、荷台側クロスバー７、８の両端下面に形成される計４つの貫通孔７ａ、８ａのうち、一方の対角線上にある貫通孔７ａ、８ａは、突起５ａ、６ａに対し遊嵌するように径が大きく形成され、他方の対角線上にある貫通孔７ａ、８ａは、突起５ａ、６ａに対し嵌合するように径が形成されるのが望ましい。
このようにすれば、トラック車体１と荷台２との位置合わせをする際に、先ず、一方の対角線上の貫通孔７ａ、８ａと突起５ａ、６ａとを遊嵌させ、次に他方の対角線上の貫通孔７ａ、８ａと突起５ａ、６ａとを嵌合させることで、シャシーフレーム３と荷台フレーム４とを容易に係合することができる。
【００１９】
また、図１、図２に示すように、シャシーフレーム３の左右の外側側面には、ボルト穴（図示せず）が形成されたブラケット１０、１１が夫々設けられ、荷台フレーム４には、それらに対応するブラケット１２、１３が夫々設けられている。即ち、ブラケット１０とブラケット１２、及び、ブラケット１１とブラケット１３は、夫々相互にボルト締結されるためのブラケットの組である。
【００２０】
ここで図４は、ブラケット１０〜１３が形成された部分を示す図１の一部拡大図である。図４（ａ）は、図１においてトラック１００の前方側のブラケットの組を示し、図４（ｂ）は後方側のブラケットの組を示す。
図４（ａ）に示すように、ブラケット１０とブラケット１２は、ボルト１４とナット１５とにより締結される。一方、図４（ｂ）に示すように、ブラケット１１とブラケット１３は、ボルト１６とナット１７とにより締結される。これにより、トラック車体１に対し荷台２が完全に固定された状態となり、トラック１００は箱型荷台のトラックとして安全に走行することが可能となる。
【００２１】
また、図示するように、ブラケット１０〜１３が夫々締結されたときに、ボルト１４とボルト１６の軸が垂線に対して傾斜してハの字型に取り付けられるように、各ブラケットがフレーム３、４に取り付けられている。
これは、特にトラック１００の走行開始時や走行停止時において、荷台２から受ける荷重をトラック車体１側で効果的に吸収するためになされている。
【００２２】
即ち、トラック１００の走行開始時には、荷台２からの荷重が後方に向けてかかり、走行停止時には、荷台２からの荷重が前方に向けてかかる。
仮に、ボルト１４、１６がシャシーフレーム３及び荷台フレーム４の長手方向に直交するようブラケット１０〜１３が設けられているならば、トラック１００の走行開始時や停止時においてボルト１４、１６にせん断力が生じ、ボルト１４、１６が切断されるおそれがある。
【００２３】
そこで、図４（ａ）に示すように、トラック１００の走行停止時に車両前方にかかる荷重Ｎ１に耐えることができるように、車両前方側のブラケット１０、１２が傾斜されて形成されている。これによりボルト１４の軸方向が垂線に対し傾斜し、前記荷重Ｎ１をボルト１４に対し圧縮荷重として作用させることができる。
さらに、走行停止時に車両後方にかかる荷重Ｎ２に耐えることができるように、車両後方側のブラケット１１、１３が傾斜されて形成されている。これによりボルト１６の軸方向が垂線に対し傾斜し、前記荷重Ｎ２をボルト１６に対し引張荷重として作用させることができる。
【００２４】
また、このようにボルト１４、１６の軸方向が垂線に対し傾斜していることで、トラック１００の走行開始時（加速時）に車両前方にかかる荷重（Ｎ１と逆向き）をボルト１４に対し引張荷重として作用させ、車両後方にかかる荷重（Ｎ２と逆向き）をボルト１６に対し圧縮荷重として作用させることができる。
このように、ボルト１４、１６に対して圧縮力、引張力が作用する場合、前記せん断力よりも大きな荷重に耐えることができ、ボルトの切断を防止することができる。
【００２５】
また、図１、図２に示すように、荷台フレーム４の中央部には、荷台フレーム４の長手方向に直交する２本の角パイプ鋼材１８が所定の幅を空けて設けられている。図５は、この２本の角パイプ鋼材１８が設けられた部分を示す図１の一部拡大図である。
【００２６】
図５に示される２本の角パイプ鋼材１８に対し、フォークリフトの２本のフォークが挿入可能となるように、２本の角パイプ１８の中心間距離Ｌ１と、パイプ内径横幅Ｌ２の値が設定されている。
即ち、荷台２の着脱作業において、２本の角パイプ１８にフォークリフトのフォークが挿入され、フォークを上下動させることによって荷台２の持ち上げや載置ができるようになされている。
【００２７】
続いて、このように構成されたトラック１００において、トラック車体１に装着されている荷台２を、他の荷台２に交換する手順について説明する。
トラック車体１から荷台２を取り外す際には、先ず、トラック車体１と荷台２とを締結固定しているボルト１４、１６及びナット１５、１７をブラケット１０〜１３から外す。
次いで、フォークリフトのフォークを２本の角パイプ鋼材１８に挿入し、フォークを上昇移動させ、荷台２を持ち上げて、図６に示すようにトラック車体１から取り外す。
そして、フォークリフトによって持ち上げた荷台２を所定の場所に下ろして載置する。
【００２８】
尚、荷台側クロスバー７、８は、それら下面が、同一面上であって、且つ、それらが荷台２の最下端面となるように設けられている。また、前記したように、荷台フレーム４の前端、後端に設けられた荷台側クロスバー７、８は、荷台フレーム４の長手方向に直交し、且つ荷台フレーム４の左右に延設されている。このため、荷台２が平面上に載置された場合には、安定して載置することができる。
また、荷台２は荷物を積載したままトラック車体１から取り外すことができるため、取り外された状態で保管庫として使用することも可能である。
【００２９】
次に、他の荷台２を装着する際には、フォークリフトのフォークを２本の角パイプ鋼材１８に挿入し、フォークを上昇移動させ、荷台２を持ち上げて、トラック車体１のシャシーフレーム３上に載置する。
このとき、車体の幅方向の位置合わせは、シャシーフレーム３上に荷台フレーム４が載置するように行われ、車体の前後方向の位置合わせは、シャシークロスバー５、６上に荷台側クロスバー７、８が載置するように行われる。
【００３０】
また、荷台２が正しく載置されると、シャシークロスバー５、６の突起５ａ、６ａが荷台側クロスバー７、８の貫通孔７ａ、８ａに夫々嵌合する。これにより、荷台フレーム４はシャシーフレーム３と係合し、位置決めがなされる。
そして、各ブラケット１０〜１３の組がボルト１４、１６及びナット１５、１７により締結され、荷台２はトラック車体１に対し完全に固定される。
【００３１】
尚、交換する荷台２の荷室２０の形状を、図７に示すような三方開荷台の平ボディ型とすれば、前記した手順により容易に荷台の形態を変更することができる。
また、シャシークロスバー５、６の上に荷台側クロスバー７、８を載置すると、シャシーフレーム３と荷台フレーム４との間に隙間が生じる。そこで、その隙間には緩衝材としてゴム部材等を設けることが望ましい。
【００３２】
以上のように本考案に係る実施の形態によれば、ボルト締結及びその解除作業のみで、フォークリフトを用いて容易に荷台２の着脱が可能となる。また、荷室２０の形状として箱型や平ボディ型のものを予め用意しておけば、容易に荷台の形態を変更することができる。
また、ブラケット１０〜１３の組を締結するボルト１４、１６の軸方向が、垂線に対し傾斜して設けられることにより、特に車両の走行開始時（加速時）や走行停止時（減速時）に生じる荷台からの荷重をボルトに対する圧縮力や引張力として作用させることができる。これにより、ボルトは荷台からの荷重に耐えることができ、ボルト切断を防止することができ、安全性の高い取り付けを実現することができる。
さらに、この構成によれば、荷台２の荷物を積載した状態で荷台２を着脱可能であり、荷台２を荷台側クロスバー７、８により安定して平面上に載置することができる。このため、荷台２を車体１から取り外して載置すれば、その荷台２を保管庫として使用することができる。
【産業上の利用可能性】
【００３３】
本考案は、荷台を有するトラック車両に関するものであり、トラック製造業者によって製造され、例えば運送業者等に好適に利用されるものである。
【図面の簡単な説明】
【００３４】
【図１】図１は、本考案に係るトラック車両の側面図である。
【図２】図２は、図１のトラック車両の平面図である。
【図３】図３は、シャシークロスバーと荷台側クロスバーとの係合部を示す一部拡大図である。
【図４】図４は、ブラケットが形成された部分を示す図１の一部拡大図である。
【図５】図５は、２本の角パイプ鋼材が設けられた部分を示す図１の一部拡大図である。
【図６】図６は、図１に示すトラック車体１から荷台２を取り外した状態を示す図である。
【図７】図７は、本発明に係るトラック車両の荷台の他の形態を示す側面図である。
【符号の説明】
【００３５】
１          トラック車体
２          荷台
３          シャシーフレーム
４          荷台フレーム
５          シャシークロスバー（第一のクロスバー）
５ａ        突起（係合手段）
６          シャシークロスバー（第一のクロスバー）
６ａ        突起（係合手段）
７          荷台側クロスバー（第二のクロスバー）
７ａ        貫通孔（係合手段）
８          荷台側クロスバー（第二のクロスバー）
８ａ        貫通孔（係合手段）
９          テールランプ
１０、１１  ブラケット（シャシー側）
１２、１３  ブラケット（荷台側）
１４        ボルト
１５        ナット
１６        ボルト
１７        ナット
１８        角パイプ鋼材
２０        荷室
１００      トラック車両
【図１】
0003114945.tif 000003
【図２】
0003114945.tif 000004
【図３】
0003114945.tif 000005
【図４】
0003114945.tif 000006
【図５】
0003114945.tif 000007
【図６】
0003114945.tif 000008
【図７】
0003114945.tif 000009